(57)【要約】【課題】受光素子の配置の自由度および受光する信号強度の向上が可能な光学装置を提供する。【解決手段】この光学装置（光ピックアップ１２）は、半導体レーザチップ１２４と、半導体レーザチップ１２４からの光が導かれる光導波路１２２と、光導波路１２２が表面に設けられる光導波路基板１２１と、光導波路１２２の表面上に形成され、光導波路１２２により導かれた半導体レーザチップ１２４からの光をディスク１１に照射するグレーティング素子１２３と、光導波路基板１２１の光導波路１２２が設けられる側とは反対の側に配置され、グレーティング素子１２３から照射されてディスク１１により反射された光を受光する受光素子１２５とを備える。【選択図】図３
2009217066.tif 000002
【特許請求の範囲】
【請求項１】
光源と、
前記光源からの光が導かれる光導波路と、
前記光導波路が表面に設けられる光導波路基板と、
前記光導波路の表面上に形成され、前記光導波路により導かれた前記光源からの光を媒体に照射するグレーティング素子と、
前記光導波路基板の前記光導波路が設けられる側とは反対の側に配置され、前記グレーティング素子から照射されて前記媒体により反射された光を受光する第１受光素子とを備える、光学装置。
【請求項２】
前記第１受光素子と前記グレーティング素子とは、前記光導波路および前記光導波路基板を介して対向するように配置されている、請求項１に記載の光学装置。
【請求項３】
前記第１受光素子と前記グレーティング素子とは、平面的に見て重ならないように配置されており、前記第１受光素子は、前記媒体により反射された光を前記グレーティング素子を介さずに受光するように構成されている、請求項１に記載の光学装置。
【請求項４】
前記光導波路基板と前記第１受光素子との間に光を集光または屈折するための光学部材をさらに備え、
前記第１受光素子は、前記媒体により反射された光を前記光学部材を介して受光するように構成されている、請求項１〜３のいずれか１項に記載の光学装置。
【請求項５】
前記媒体に記録された信号に対応する光を受光する第２受光素子をさらに備える、請求項１〜４のいずれか１項に記載の光学装置。
【発明の詳細な説明】
【技術分野】
【０００１】
本発明は、光学装置に関し、特に、受光素子が設けられる光学装置に関する。
【背景技術】
【０００２】
従来、受光素子が設けられる光学装置が知られている（たとえば、特許文献１参照）。
【０００３】
上記特許文献１には、光源と、光導波路と、表面に光導波路が設けられる基板と、基板および光導波路の間に形成されるバッファ層と、光源から出射された光を回折するための第１グレーティングカプラ（グレーティング素子）と、ディスクからの反射光を集光するための第２グレーティングカプラ（グレーティング素子）と、集光された光を受光するための受光素子とを備える光ピックアップ（光学装置）が開示されている。上記特許文献１に開示された光ピックアップでは、受光素子はバッファ層と基板との間に固定的に形成されている。また、第２グレーティングカプラは、受光素子の上方の基板表面に形成されている。
【０００４】
【特許文献１】特開平２−８３８２９号公報
【発明の開示】
【発明が解決しようとする課題】
【０００５】
上記特許文献１に記載の光ピックアップは、受光素子を第２グレーティング素子の下方に配置することにより光の利用効率を向上させるのに適したものである一方、受光素子がバッファ層と基板との間に固定的に形成される構造に関しては、受光素子の配置の自由度および受光する信号強度については更なる向上が望まれている。
【０００６】
この発明は、上記のような課題を解決するためになされたものであり、光学装置の受光素子の配置の自由度および受光する信号強度の向上が可能な光学装置を提供することを目的とする。
【課題を解決するための手段】
【０００７】
上記目的を達成するために、この発明の一の局面における光学装置は、光源と、光源からの光が導かれる光導波路と、光導波路が表面に設けられる光導波路基板と、光導波路の表面上に形成され、光導波路により導かれた光源からの光を媒体に照射するグレーティング素子と、光導波路基板の光導波路が設けられる側とは反対の側に配置され、グレーティング素子から照射されて媒体により反射された光を受光する第１受光素子とを備える。
【発明を実施するための最良の形態】
【０００８】
以下、本発明の実施形態を図面に基づいて説明する。なお、以下の実施形態の説明では、光学装置の一例である光ピックアップ１２に本発明を適用した場合について説明する。
【０００９】
（第１実施形態）
図１は、本発明の第１実施形態によるディスク再生装置の構成を示したブロック図である。図２は、本発明の第１実施形態による光ピックアップの構成を示した平面図である。図３は、図２の２００―２００線に沿った断面図である。図４は、本発明の第１実施形態による光導波路から出射される光を示す図である。図５は、本発明の第１実施形態による受光素子の平面図である。まず、図１〜図５を参照して、第１実施形態による光ピックアップ１２の構成について説明する。
【００１０】
第１実施形態によるディスク再生装置１００は、図１に示すように、ドライブ１と、ドライブ駆動回路２と、制御回路３と、復号回路４と、インターフェース（Ｉ／Ｆ）５とから構成されている。
【００１１】
ドライブ１は、ディスク１１と、光ピックアップ１２とから構成されている。また、制御回路３は、信号読取回路３１と、サーボ回路３２とから構成されている。また、復号回路４は、データバッファ４１と、誤り訂正回路４２と、誤り検査回路４３とから構成されている。また、インターフェース（Ｉ／Ｆ）５は、ホストＰＣ（ホストパーソナルコンピュータ）に接続されている。なお、ディスク１１は、本発明の「媒体」の一例である。
【００１２】
図２および図３に示すように、光ピックアップ１２は、Ｓｉまたは樹脂からなる光導波路基板１２１の表面上に形成された光導波路１２２と、光導波路１２２の表面上にパターンを形成することにより設けられ、光導波路１２２により導かれた半導体レーザチップ１２４からの光をディスク１１に照射するグレーティング素子１２３と、光導波路基板１２１の光導波路１２２が設けられる側とは反対の側に配置される受光素子１２５とによって構成されている。なお、半導体レーザチップ１２４は、本発明の「光源」の一例である。また、受光素子１２５は、本発明の「第１受光素子」の一例である。また、第１実施形態では、受光素子１２５は、グレーティング素子１２３から照射されてディスク１１により反射された光を受光するように構成されている。また、第１実施形態では、グレーティング素子１２３と受光素子１２５とは、光導波路基板１２１と光導波路１２２とを介して対向するように配置されている。
【００１３】
また、図２に示すように、グレーティング素子１２３は、平面的に見て弓状の複数のグレーティング素子部１２３ａから形成されており、複数のグレーティング素子部１２３ａは、それぞれ、所定の間隔を隔てて形成されている。
【００１４】
また、図５に示すように、受光素子１２５は、４行４列のマトリクス状（行列状）に配置された１６個の受光素子部１２５ａから構成されている。また、１６個の受光素子部１２５ａは、それぞれ、演算器１２５ｂと接続されており、受光素子部１２５ａに受光される光（信号）に基づいて、光ピックアップ１２のトラッキング情報やフォーカシング情報が出力されるように構成されている。
【００１５】
次に、図１を参照して、本発明の第１実施形態によるディスク再生装置１００の動作について説明する。
【００１６】
ドライブ１においてディスク１１から読取られたデータは、制御回路３の中の信号読取回路３１によって復調される。そして、サーボ回路３２は、信号読取回路３１によって読取られる信号に基づいて、ドライブ駆動回路２を制御する。
【００１７】
また、信号読取回路３１によって復調されたデータは、復号回路４の中のデータバッファ４１に転送される。この転送されたデータは、誤り訂正回路４２において誤りが訂正され、誤り検査回路４３において誤りが無いと確認された後、デスクランブル処理（暗号化された信号の解除）が施され、インターフェース（Ｉ／Ｆ）５を介してホストＰＣへ転送される。
【００１８】
次に、図２〜図５を参照して、本発明の第１実施形態による光ピックアップ１２の動作について説明する。
【００１９】
図２に示すように、半導体レーザチップ１２４から出射されたレーザ光は、光導波路１２２を発散しながら伝播する。そして、図３および図４に示すように、レーザ光は、グレーティング素子１２３を介して集光性の光としてディスク１１に向かって照射され、ディスク１１の表面上に集光される。その後、レーザ光は、ディスク１１の表面で反射され、その反射光の一部は、光導波路１２２および光導波路基板１２１を透過して、受光素子１２５に照射される。そして、図５に示すように、受光素子１２５では、反射光は、電気信号へと変換され、演算器１２５ｂによって所定の演算が施された後、トラッキング情報やフォーカシング情報として取り出される。このトラッキング情報やフォーカシング情報に基づいて光ピックアップ１２のフォーカシングおよびトラッキングの調整が行われる。
【００２０】
第１実施形態では、上記のように、光導波路基板１２１の光導波路１２２が設けられる側とは反対の側に配置され、グレーティング素子１２３から照射されてディスク１１により反射された光を受光する受光素子１２５を備えることによって、たとえば、受光素子１２５がバッファ層と基板との間に固定的に配置される場合と異なり、光導波路基板１２１の光導波路１２２が設けられる側とは反対の側の表面上に受光素子１２５を自由に配置することができる。これにより、受光素子１２５の配置の自由度を向上させることができるので、照射光の光学系と独立して反射光の光学系を配置することができる。その結果、独立した反射光の光学系の受光感度の向上を図ることができる。また、グレーティング素子１２３および受光素子１２５を光導波路基板１２１または光導波路１２２の表面の平坦な面に形成することができるので、受光素子１２５はディスク１１により反射された光を正確に受光することができる。これにより、受光素子１２５の受光する信号強度を向上させることができる。
【００２１】
また、第１実施形態では、上記のように、受光素子１２５とグレーティング素子１２３とを、光導波路１２２および光導波路基板１２１を介して対向するように配置することによって、集光性のグレーティング素子１２３と受光素子１２５とによって、ディスク１１の位置情報を得るように構成することができるので、レンズなどの部品が不要になり、光ピックアップ１２を小型化することができる。
【００２２】
（第２実施形態）
図６は、本発明の第２実施形態による光ピックアップの受光素子の平面図である。図６を参照して、この第２実施形態では、上記第１実施形態と異なり、受光素子部１２５ａが十字状に配置される場合について説明する。
【００２３】
図６に示すように、受光素子１２５ｃは、十字状に配置される９個の受光素子部１２５ａから構成されている。また、９個の受光素子部１２５ａは、それぞれ、演算器１２５ｂ（図５参照）と接続されており、受光素子部１２５ａに受光される光（信号）に基づいて、光ピックアップ１２（図１参照）のトラッキング情報やフォーカシング情報が出力されるように構成されている。なお、第２実施形態のその他の構成は、上記第１実施形態と同様である。
【００２４】
次に、図３および図６を参照して、本発明の第２実施形態による光ピックアップ１２の動作について説明する。
【００２５】
図３に示すように、ディスク１１の表面で反射された反射光の一部は、光導波路１２２および光導波路基板１２１を透過して、図６に示す受光素子１２５ｃに照射される。なお、第２実施形態のその他の動作は、上記第１実施形態と同様である。
【００２６】
また、第２実施形態の効果は、上記第１実施形態と同様である。
【００２７】
（第３実施形態）
図７は、本発明の第３実施形態による光ピックアップの受光素子の平面図である。図７を参照して、この第３実施形態では、上記第１実施形態と異なり、受光素子部１２５ａが直線状（一次元）に配置される場合について説明する。
【００２８】
図７に示すように、受光素子１２５ｄは、直線状（一次元）に配置される５個の受光素子部１２５ａから構成されている。また、５個の受光素子部１２５ａは、それぞれ、演算器１２５ｂ（図５参照）と接続されており、受光素子部１２５ａに受光される光（信号）に基づいて、光ピックアップ１２のトラッキング情報やフォーカシング情報が出力されるように構成されている。なお、第３実施形態のその他の構成は、上記第１実施形態と同様である。
【００２９】
次に、図３および図７を参照して、本発明の第３実施形態による光ピックアップ１２の動作について説明する。
【００３０】
図３に示すように、ディスク１１の表面で反射された反射光の一部は、光導波路１２２および光導波路基板１２１を透過して、図７に示す受光素子１２５ｄに照射される。なお、第３実施形態のその他の動作は、上記第１実施形態と同様である。
【００３１】
また、第３実施形態の効果は、上記第１実施形態と同様である。
【００３２】
（第４実施形態）
図８は、本発明の第４実施形態による光ピックアップの断面図である。図８を参照して、この第４実施形態では、上記第１実施形態と異なり、光導波路基板１２１と受光素子１２５との間に光を集光するための集光レンズ１２６が設けられている光ピックアップ１２ａについて説明する。なお、集光レンズ１２６は、本発明の「光学部材」の一例である。
【００３３】
図８に示すように、光ピックアップ１２ａでは、光導波路基板１２１のグレーティング素子１２３が形成される面の裏面側には、光導波路基板１２１と所定の間隔を隔てて集光レンズ１２６が配置されている。また、集光レンズ１２６の光導波路基板１２１と対向する側とは反対の側には、集光レンズ１２６に対向するように、受光素子１２５が配置されている。なお、第３実施形態のその他の構成は、上記第１実施形態と同様である。
【００３４】
次に、図８を参照して、本発明の第４実施形態による光ピックアップ１２ａの動作について説明する。
【００３５】
図８に示すように、ディスク１１の表面で反射されたレーザ光は、その一部がグレーティング素子１２３、光導波路１２２および光導波路基板１２１を透過して、集光レンズ１２６によって集光される。その後、レーザ光は、受光素子１２５に入射される。なお、第４実施形態のその他の動作は、上記第１実施形態と同様である。
【００３６】
第４実施形態では、上記のように、受光素子１２５を、ディスク１１により反射された光を集光レンズ１２６を介して受光するように構成することによって、照射光の光学系と独立して反射光の光学系を配置することができるので、反射光の集光部を照射光の光学系と独立して配置することができる。また、ディスク１１により反射された光が集光レンズ１２６により集光され、集光された光が受光素子１２５により受光されるので、光が集光されない場合と比較して受光素子１２５が受光する信号強度をより向上させることができる。
【００３７】
また、第４実施形態のその他の効果は、上記第１実施形態と同様である。
【００３８】
（第５実施形態）
図９は、本発明の第５実施形態による光ピックアップの断面図である。図９を参照して、この第５実施形態では、上記第１実施形態と異なり、光を集光するためのグレーティング素子１２３ｂをグレーティング素子１２３と対向するように配置する光ピックアップ１２ｂについて説明する。なお、グレーティング素子１２３ｂは、本発明の「光学部材」の一例である。
【００３９】
図９に示すように、光ピックアップ１２ｂでは、光導波路基板１２１のグレーティング素子１２３が形成される面の裏面側には、グレーティング素子１２３に対向するようにグレーティング素子１２３ｂが形成されている。また、受光素子１２５は、グレーティング素子１２３ｂと所定の間隔を隔てて対向するように配置されている。なお、第５実施形態のその他の構成は、上記第４実施形態と同様である。
【００４０】
次に、図９を参照して、本発明の第５実施形態による光ピックアップ１２ｂの動作について説明する。
【００４１】
図９に示すように、ディスク１１の表面で反射されたレーザ光は、その一部がグレーティング素子１２３、光導波路１２２および光導波路基板１２１を透過して、グレーティング素子１２３ｂによって集光される。その後、レーザ光は、受光素子１２５に入射される。なお、第５実施形態のその他の動作は、上記第４実施形態と同様である。
【００４２】
第５実施形態では、上記のように、受光素子１２５を、ディスク１１により反射された光をグレーティング素子１２３ｂを介して受光するように構成することによって、照射光の光学系と独立して反射光の光学系を配置することができるので、反射光の集光部を照射光の光学系と独立して配置することができる。また、ディスク１１により反射された光がグレーティング素子１２３ｂにより集光され、集光された光が受光素子１２５により受光されるので、光が集光されない場合と比較して受光素子１２５が受光する信号強度をより向上させることができる。
【００４３】
また、第５実施形態のその他の効果は、上記第４実施形態と同様である。
【００４４】
（第６実施形態）
図１０は、本発明の第６実施形態による光ピックアップの断面図である。図１０を参照して、この第６実施形態では、上記第５実施形態と異なり、グレーティング素子１２３ｃによって反射光が屈折される光ピックアップ１２ｃについて説明する。
【００４５】
図１０に示すように、光ピックアップ１２ｃでは、光導波路基板１２１のグレーティング素子１２３が形成される面の裏面には、グレーティング素子１２３に対向するようにグレーティング素子１２３ｃが形成されている。また、受光素子１２５は、グレーティング素子１２３ｃと所定の間隔を隔てて、グレーティング素子１２３ｃと対向する位置から水平方向にずれた位置に配置されている。なお、第６実施形態のその他の構成は、上記第５実施形態と同様である。
【００４６】
次に、図１０を参照して、本発明の第６実施形態による光ピックアップ１２ｃの動作について説明する。
【００４７】
図１０に示すように、ディスク１１の表面で反射されたレーザ光は、その一部がグレーティング素子１２３、光導波路１２２および光導波路基板１２１を透過して、グレーティング素子１２３ｃによって所定の方向（受光素子１２５の方向）に屈折される。その後、レーザ光は、受光素子１２５に入射される。なお、第６実施形態のその他の動作は、上記第５実施形態と同様である。
【００４８】
第６実施形態では、上記のように、受光素子１２５を、ディスク１１により反射された光をグレーティング素子１２３ｃを介して受光するように構成することによって、ディスク１１により反射された光をグレーティング素子１２３ｃによって屈折させることができる。これにより、受光素子１２５をグレーティング素子１２３と対向する位置以外の位置に配置した場合でも、グレーティング素子１２３ｃにより光を屈折させることにより受光することができる。その結果、受光素子１２５の配置の自由度を向上させることができるので、照射光の光学系と独立して反射光の光学系を配置することができる。
【００４９】
また、第６実施形態のその他の効果は、上記第５実施形態と同様である。
【００５０】
（第７実施形態）
図１１は、本発明の第７実施形態による光ピックアップの断面図である。図１１を参照して、この第７実施形態では、上記第１実施形態と異なり、ディスク１１からの反射光がグレーティング素子１２３を介さずに受光素子１２５に照射される光ピックアップ１２ｄについて説明する。
【００５１】
図１１に示すように、光ピックアップ１２ｄでは、受光素子１２５は、光導波路基板１２１のグレーティング素子１２３が形成される面の裏面に形成されており、第７実施形態では、グレーティング素子１２３と受光素子１２５とは、平面的に見て重ならないように配置されている。なお、第７実施形態のその他の構成は、上記第１実施形態と同様である。
【００５２】
次に、図１１を参照して、本発明の第７実施形態による光ピックアップ１２ｄの動作について説明する。
【００５３】
図１１に示すように、レーザ光は、グレーティング素子１２３を介して集光性の光としてディスク１１に向かって出射され、ディスク１１の表面上に集光される。その後、第７実施形態では、レーザ光は、ディスク１１の表面で反射され、その反射光の一部は、グレーティング素子１２３が形成されない光導波路１２２の領域および光導波路基板１２１を透過して、受光素子１２５に照射される。なお、第７実施形態のその他の動作は、上記第１実施形態と同様である。
【００５４】
第７実施形態では、上記のように、受光素子１２５とグレーティング素子１２３とを、平面的に見て重ならないように配置し、受光素子１２５を、ディスク１１により反射された光をグレーティング素子１２３を介さずに受光するように構成することによって、照射光の光学系と独立して反射光の光学系を配置することができる。また、照射光と反射光との光軸をずらすことにより、上記第４〜６実施形態に記載した反射光の光学系よりも、より独立して反射光の光学系を配置することができる。また、ディスク１１により反射された光をグレーティング素子１２３を介して受光する場合と異なり、グレーティング素子１２３を光が透過することにより光の強度が低下することを抑制することができるので、受光素子１２５が受光する信号強度が低下するのを抑制することができる。
【００５５】
また、第７実施形態のその他の効果は、上記第１実施形態と同様である。
【００５６】
（第８実施形態）
図１２は、本発明の第８実施形態による光ピックアップの断面図である。図１２を参照して、この第８実施形態では、上記第１実施形態と異なり、ディスク１１に記録された信号が入力される受光素子１２９が別途設けられる光ピックアップ１２ｅについて説明する。
【００５７】
第８実施形態では、図１２に示すように、光ピックアップ１２ｅには、ディスク１１により反射された光を受光するための受光素子１２５に加えて、ディスク１１に記録された信号に対応する光を受光する受光素子１２９が設けられている。なお、受光素子１２９は、本発明の「第２受光素子」の一例である。また、受光素子１２９は、受光素子１２５と異なり、１つの受光素子部１２５ａから構成されている。また、第８実施形態のその他の構成は、上記第１実施形態と同様である。
【００５８】
次に、図１２を参照して、本発明の第８実施形態による光ピックアップ１２ｅの動作について説明する。
【００５９】
図１２に示すように、ディスク１１の表面で反射されたレーザ光の一部は、光導波路１２２および光導波路基板１２１を透過して、受光素子１２５に照射されるとともに、光導波路１２２を介して受光素子１２９に入射される。そして、受光素子１２５に入射した光に基づいて光ピックアップ１２のフォーカシングおよびトラッキングの調整が行われる。また、ディスク１１に記録された映像などの信号は、受光素子１２９に入力され、図１に示す復号回路４や誤り訂正回路４２へ入力される。なお、第８実施形態のその他の動作は、上記第１実施形態と同様である。
【００６０】
第８実施形態では、上記のように、ディスク１１に記録された信号が入力される受光素子１２９を備えることによって、フォーカシング情報やトラッキング情報とともに、ディスク１１に記録された信号がマトリクス状に配置される受光素子１２５によって処理される場合と異なり、ディスク１１に記録された信号を高速に処理することができる。
【００６１】
なお、第８実施形態のその他の効果は、上記第１実施形態と同様である。
【００６２】
（第９実施形態）
図１３は、本発明の第９実施形態による光ピックアップの断面図である。図１３を参照して、この第９実施形態では、上記第８実施形態と異なり、ディスク１１に記録された信号が伝達される、光導波路１２２ａを有する光ピックアップ１２ｆについて説明する。
【００６３】
図１３に示すように、光ピックアップ１２ｆでは、光導波路基板１２１と光導波路１２２との間には、光導波路１２２ａが設けられている。そして、光導波路１２２ａの半導体レーザチップ１２４が設けられる側の端面に、受光素子１２９が配置されている。なお、第９実施形態のその他の構成は、上記第８実施形態と同様である。
【００６４】
次に、図１３を参照して、本発明の第９実施形態による光ピックアップ１２ｆの動作について説明する。
【００６５】
図１３に示すように、ディスク１１の表面で反射されたレーザ光の一部は、光導波路１２２および光導波路基板１２１を透過して、受光素子１２５に照射されるとともに、光導波路１２２ａを介して受光素子１２９に入射される。そして、受光素子１２５に入射した光に基づいて光ピックアップ１２のフォーカシングおよびトラッキングの調整が行われる。また、ディスク１１に記録された映像などの信号は、受光素子１２９に入力され、復号回路４や誤り訂正回路４２へ入力される。なお、第９実施形態のその他の動作は、上記第８実施形態と同様である。
【００６６】
また、第９実施形態の効果は、上記第８実施形態と同様である。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
たとえば、上記第１および第４〜第９実施形態では、受光素子が４行４列のマトリクス状に配置された複数の受光素子部から構成される例を示したが、本発明はこれに限らず、４行４列以外のマトリクス状に配置された複数の受光素子部から構成してもよい。
【図面の簡単な説明】
【００６９】
【図１】本発明の第１実施形態によるディスク再生装置の構成を示したブロック図である。
【図２】本発明の第１実施形態による光ピックアップの構成を示した平面図である。
【図３】図２の２００―２００線に沿った断面図である。
【図４】本発明の第１実施形態による光導波路から出射される光を示す図である。
【図５】本発明の第１実施形態による受光素子の平面図である。
【図６】本発明の第２実施形態による受光素子の平面図である。
【図７】本発明の第３実施形態による受光素子の平面図である。
【図８】本発明の第４実施形態による光ピックアップの断面図である。
【図９】本発明の第５実施形態による光ピックアップの断面図である。
【図１０】本発明の第６実施形態による光ピックアップの断面図である。
【図１１】本発明の第７実施形態による光ピックアップの断面図である。
【図１２】本発明の第８実施形態による光ピックアップの断面図である。
【図１３】本発明の第９実施形態による光ピックアップの断面図である。
【符号の説明】
【００７０】
１１      ディスク（媒体）
１２、１２ａ〜１２ｆ  光ピックアップ（光学装置）
１２１    光導波路基板
１２２、１２２ａ  光導波路
１２３    グレーティング素子
１２３ｂ、１２３ｃ  グレーティング素子（光学部材）
１２４    半導体レーザチップ（光源）
１２５    受光素子（第１受光素子）
１２６    集光レンズ（光学部材）
１２９    受光素子（第２受光素子）
【図１】
2009217066.tif 000003
【図２】
2009217066.tif 000004
【図３】
2009217066.tif 000005
【図４】
2009217066.tif 000006
【図５】
2009217066.tif 000007
【図６】
2009217066.tif 000008
【図７】
2009217066.tif 000009
【図８】
2009217066.tif 000010
【図９】
2009217066.tif 000011
【図１０】
2009217066.tif 000012
【図１１】
2009217066.tif 000013
【図１２】
2009217066.tif 000014
【図１３】
2009217066.tif 000015